(57)【要約】【課題】吐出部分がコンパクトで見栄えが良い洗浄水吐出装置を提供する。【解決手段】平面視でシンク３の周縁部からシンク３内に向けて突出する給水管部と、給水管部の先端に設けられる吐出部２２を備える。吐出部２２を、上流端部が給水管部の下流端部に接続されると共に下流側部分が下方に向けて曲げられたノズル３４と、洗剤タンク３５とで構成する。ノズル３４に洗剤タンク３５内の洗剤をノズル３４を流れる洗浄水に供給する洗剤供給部１４を設ける。洗剤タンク３５の給水管部側の側面に給水管部側に開口するノズル収納凹部６７を形成する。ノズル３４の下流側部分がノズル収納凹部に取り囲まれるように洗剤タンク３５を配置して吐出部２２の全体の外形を略柱状とする。【選択図】        図１
2010144490.tif 000002
【特許請求の範囲】
【請求項１】
平面視でシンクの周縁部からシンク内に向けて突出する給水管部と、給水管部の先端に設けられる吐出部を備え、吐出部を、上流端部が給水管部の下流端部に接続されると共に下流側部分が下方に向けて曲げられたノズルと、洗剤タンクとで構成し、ノズルに洗剤タンク内の洗剤をノズルを流れる洗浄水に供給する洗剤供給部を設け、洗剤タンクの給水管部側の側面に給水管部側に開口するノズル収納凹部を形成し、ノズルの前記下流側部分が前記ノズル収納凹部に取り囲まれるように洗剤タンクを配置して吐出部の全体の外形を略柱状として成ることを特徴とする洗浄水吐出装置。
【請求項２】
前記洗剤タンクの上端面に洗剤補給口を形成し、洗剤タンクに洗剤補給口を塞ぐ着脱自在に閉塞する蓋部を設けて成ることを特徴とする請求項１に記載の洗浄水吐出装置。
【請求項３】
前記ノズルの下部にノズルの径方向の外側に向けて突出するタンク接続部を形成すると共にタンク接続部の上面に洗剤受口部を形成し、洗剤タンクの下端面に下方に突出する洗剤供給口部を形成し、該洗剤供給口部を洗剤受口部に着脱自在に接続して、洗剤タンクを洗剤受口部を介して洗剤供給部に連通させ、洗剤タンクに洗剤供給口部を下にして自立させるための脚部を形成して成ることを特徴とする請求項１又は請求項２に記載の洗浄水吐出装置。
【請求項４】
前記脚部を洗剤タンクの下端面から下方に向けて突出させ、タンク接続部の上面に脚嵌込用凹部を形成し、該脚嵌込用凹部に脚部を着脱自在に嵌め込んで成ることを特徴とする請求項３のいずれか１項に記載の洗浄水吐出装置。
【発明の詳細な説明】
【技術分野】
【０００１】
本発明は洗剤を含む洗浄水を吐出する洗浄水吐出装置に関する。
【背景技術】
【０００２】
一般の流し台に設置されるカランは水道水を吐出するものであるため、食器等の被洗浄物を綺麗に洗浄することが難しかった。
【０００３】
また、例えば特許文献１のように、シャワーヘッドの先部に洗剤タンクを設け、シャワーヘッドから洗剤を混合した水を吐出する洗浄水吐出装置が知られている。
【特許文献１】特開２００１−２５９４８８号公報
【発明の開示】
【発明が解決しようとする課題】
【０００４】
しかし、上記のように吐出部分となるシャワーヘッドに洗剤タンクを設けた場合、洗剤タンクへの洗剤の補充は容易になるが、吐出部分が大型化する。
【０００５】
本発明は上記従来の課題に鑑みてなされたものであって、吐出部分がコンパクトとなる浄水吐出装置を提供することを課題とする。
【課題を解決するための手段】
【０００６】
上記課題を解決するために請求項１に係る洗浄水吐出装置は、平面視でシンク３の周縁部からシンク３内に向けて突出する給水管部と、給水管部の先端に設けられる吐出部２２を備え、吐出部２２を、上流端部が給水管部の下流端部に接続されると共に下流側部分が下方に向けて曲げられたノズル３４と、洗剤タンク３５とで構成し、ノズル３４に洗剤タンク３５内の洗剤をノズル３４を流れる洗浄水に供給する洗剤供給部１４を設け、洗剤タンク３５の給水管部側の側面に給水管部側に開口するノズル収納凹部６７を形成し、該ノズル収納凹部６７にノズル３４の前記下流側部分を洗剤タンク３５で囲まれるように収納して吐出部２２の全体の外形を略柱状とすることを特徴とする。
【０００７】
また、前記洗剤タンク３５の上端面に洗剤補給口６４を形成し、洗剤タンク３５に洗剤補給口６４を開閉自在に閉塞する蓋部６０を設けることが好ましい。
【０００８】
また、前記ノズル３４の下部にノズル３４の径方向の外側に向けて突出するタンク接続部６９を形成すると共にタンク接続部６９の上面に洗剤受口部５８を形成し、洗剤タンク３５の下端面に下方に突出する洗剤供給口部５７を形成し、該洗剤供給口部５７を洗剤受口部５８に着脱自在に接続して、洗剤タンク３５を洗剤受口部５８を介して洗剤供給部１４に連通させ、洗剤タンク３５に洗剤供給口部５７を下にして自立させるための脚部６１を形成することが好ましい。
【０００９】
また、前記脚部６１を洗剤タンク３５の下端面から下方に向けて突出させ、タンク接続部６９の上面に脚嵌込用凹部６２を形成し、該脚嵌込用凹部６２に脚部６１を着脱自在に嵌め込むことが好ましい。
【発明の効果】
【００１０】
請求項１に係る発明では、洗剤タンクの給水管部側の側面にノズル収納凹部を形成し、このノズル収納凹部にノズルの下流側部分を収納して吐出部の全体の外形を略柱状としているため、吐出部をコンパクトにできる。また、給水管部の先端部から下方に突出した吐出部を一般のカランの蛇口に似た外観とすることができ、見栄えが良くなる。
【００１１】
また請求項２に係る発明では、洗剤タンクの上端面に洗剤補給口を形成することで、洗剤補給口から洗剤タンク内の洗剤が漏れ出し難い構造とすることができ、且つ、洗剤タンクの容量を有効に利用できて吐出部をさらにコンパクトにできる。
【００１２】
また請求項３に係る発明では、脚部を利用して、ノズルから取り外した洗剤タンクを洗剤供給口部を下にして自立させることができ、容易に洗剤を補充する等できる。
【００１３】
また請求項４に係る発明では、脚部を脚嵌込用凹部に嵌め込むことで、洗剤タンクをノズルに対して強固に且つ位置決めして取り付けることができる。
【発明を実施するための最良の形態】
【００１４】
以下、本発明を添付図面に示す実施形態に基づいて説明する。
【００１５】
本実施形態の一例の洗浄水吐出装置１は図２のように流し台２に設けられて、気泡と洗剤を含む洗浄水をキッチン用のシンク３内に吐出するものである。
【００１６】
流し台２に設けられたシンク３の周縁部には洗浄水吐出装置１の洗浄用カラン１８とは別に飲料用カラン４が設けられている。飲料用カラン４は一般のシンクに設けられるカランと同様に図示しない水供給管から供給された水道水をシンク３内に吐出するものである。
【００１７】
図３に示すように、洗浄水吐出装置１は下流端に吐出口６が設けられた洗浄水流路５を備えている。洗浄水流路５は飲料用カラン４に水道水を供給する水供給管から分岐した流路で構成され、水供給管から水道圧を利用して供給された水道水を洗浄水として吐出する。
【００１８】
水供給管の上流側は図示しない給湯器に通じ、洗浄水流路５には洗浄水として温水も供給できるようになっている。
【００１９】
洗浄水流路５の上流部１７は流し台２の内部に通されている。上流部１７には、上流側から順に、止水栓７、逆止弁８、定流量弁９、及び開閉弁１０が設けられている。定流量弁９は供給された洗浄水を減圧し流量を一定にして下流側へと送る。開閉弁１０は電磁弁からなる。
【００２０】
図２のように、流し台２のシンク３の後縁部上には飲料用カラン４とは別に前記洗浄水流路５の下流部２７を構成する洗浄用カラン１８が設けられている。なお、洗浄用カラン１８はシンク３の周縁部における後縁部以外の箇所に設けてあっても良い。
【００２１】
図１のように、洗浄用カラン１８は、縦管部１９、横管部２０、連結管部２１、及び吐出部２２で構成され、この順序で上流側から設けられている。
【００２２】
縦管部１９はシンク３の後縁部から上方に向けて突設され、横管部２０は縦管部１９の上部から前方に向けて突設されている。縦管部１９及び横管部２０は流し台２の外部に位置している。横管部２０は平面視でシンク３の周縁部からシンク３内に向けて突出している。
【００２３】
縦管部１９及び横管部２０にて給水管部が構成されている。なお、給水管部としてはこれに限定されるものではなく、例えばシンク３の後方に立設した壁部から前方に突出する横管等で構成しても良い。
【００２４】
連結管部２１の後端部は横管部２０の前端部に連結され、吐出部２２の上端部は連結管部２１の前端部に接続されている。吐出部２２はシンク３の上方に配置されている。
【００２５】
吐出部２２は連結管部２１に対して略垂直となる下方に延び、その下部が横管部２０よりも下方に突出している。
【００２６】
縦管部１９、横管部２０、連結管部２１、及び吐出部２２の内部には、縦流路２３、横流路２４、連結流路２５、吐出流路２６が夫々形成されている。縦流路２３の上流端部は上流部１７の下流端部に連通接続され、縦流路２３の下流端部に横流路２４の上流端部が連通接続され、横流路２４の下流端部に連結流路２５を介して吐出流路２６の上流端部が連通接続されている。縦流路２３、横流路２４、連結流路２５、及び吐出流路２６にて洗浄水流路５の下流部２７が構成され、下流部２７と上流部１７によって洗浄水流路５が構成されている。
【００２７】
図３のように縦流路２３の上流部となる下部には流量調整弁１１が設けられている。流量調整弁１１及び開閉弁１０は流し台２に内装された制御部７０に電気接続されている。なお、本例の流量調整弁１１は電動弁であるが、手動弁であっても良い。
【００２８】
図４に示すように、縦管部１９の下部の外面には流量調整用操作部２８と吐出切替用操作部２９が設けられている。これら流量調整用操作部２８及び吐出切替用操作部２９は制御部７０に電気接続される。
【００２９】
流量調整用操作部２８が操作されると、制御部７０は流量調整弁１１の開度を変更する。これにより、洗浄水の吐出量を調節できるようになっている。吐出切替用操作部２９が操作されると、制御部７０は開閉弁１０の開閉を切り替える。これにより、洗浄水の吐出の有無を切り替えられるようになっている。
【００３０】
図５に示すように、略鉛直な縦流路２３の下流端部（上端部）には大気開放弁３２が設けられている。大気開放弁３２はフロート弁からなり、縦流路２３の下流端部を構成する弁収納部３１に上下方向に移動自在に収納されている。
【００３１】
弁収納部３１は縦管部１９の上端部に形成された大気開放孔３０を介して外部に連通し、また、下部の流入口部３３を介して洗浄水流路５の上流側に連通している。
【００３２】
弁収納部３１内を洗浄水が流れているときには、図１に示すように大気開放弁３２は水圧により上昇して大気開放孔３０を閉塞する。これによって、洗浄水流路５を流れる洗浄水が大気開放孔３０から流出することが防止される。
【００３３】
弁収納部３１内の洗浄水の流れが停止したときには、図５のように大気開放弁３２は下降して流入口部３３上に載置される。これによって、大気開放孔３０が開放されて、弁収納部３１よりも下流側の洗浄水流路５が大気開放状態となり、この部分に残った洗浄水を吐出口６から確実に排出することができる。
【００３４】
図７（ａ）に示すように、吐出部２２は、連結管部２１の下流端部に接続されて下流側部分が下方に向けて曲げられたノズル３４と、該ノズル３４に対して着脱自在に取り付けられる洗剤タンク３５で構成されており、全体として上下に長い略円柱状の外形を有する。なお、本例では吐出部２２を略円柱状としたが、略角柱状等であっても良い。
【００３５】
ノズル３４は、上流管体３６、下流管体３７、及びノズル先端部３８で構成され、この順序で上流側（上側）から順に設けられている。ノズル先端部３８の下端面部に吐出口６が形成されている。
【００３６】
上流管体３６は略Ｌ字状に屈曲し、その上流側の端部は上下に長い直線状の下流側部分に対して略垂直となる後方に向けて突出している。この上流管体３６の上流端部に連結管部２１の前端部が接続されている。上流管体３６の下端部は下流管体３７の上端部に挿入された状態で接続され、該上流管体３６と下流管体３７とでＬ字状に屈曲したＬ字状管部６８を構成している。
【００３７】
図６に示すように連結管部２１の後端部は他部の外径よりも直径の大きい球面状の外面を有する嵌合部３９となっている。嵌合部３９の両側には左右方向の外側に向けて突出する回動軸４０が形成されている。
【００３８】
横管部２０の前端部には球面状の内面を有する保持凹部４１が形成されている。保持凹部４１の左右両側の内面には軸受け部４２が形成されている。保持凹部４１には前記嵌合部３９が回動可能に嵌め込まれて保持されている。各回動軸４０は軸受け部４２に左右軸回り方向に回動可能に枢支されている。これにより、連結管部２１は横流路２４に対して上下方向にのみ回動可能となり、吐出部２２の吐出口６の向きを前斜め下方から後斜め下方までの範囲で変更できるようになっている。
【００３９】
連結管部２１の前端部は上流管体３６の吐出部２２の背面から後方に向けて突出した上流端部に回動自在に挿入されている。これによって、ノズル３４は連結管部２１に対して左右方向（すなわち、連結管部２１の軸回り方向）にのみ回動可能となり、吐出部２２の吐出口６の向きを左斜め下方から右斜め下方までの範囲で変更できるようになっている。
【００４０】
上記連結管部２１を横管部２０に対して前後に回動すると共に、ノズル３４を連結管部２１に対して左右に回動することにより、吐出部２２は横管部２０に対して前後方向及び左右方向に回動して吐出口６の向きを任意の向きに変更できるようになっている。
【００４１】
図７のように上流管体３６の下部には内面が下流側程徐々に径が小さくなる絞り面４４となった絞り部４３が形成されている。
【００４２】
絞り部４３を設けることで、この下流側に位置する下流管体３７の上部は洗浄水が流れているときに負圧が発生する負圧発生部４７となっている。
【００４３】
下流管体３７の負圧発生部４７に対応する部分には負圧発生部４７と外部を連通させる孔からなる気体混入部１３が形成されている。
【００４４】
洗浄水流路５を洗浄水が流れて負圧発生部４７にて負圧が発生した場合には、この負圧により前記気体混入部１３から気体（空気）が洗浄水に供給され混合される。
【００４５】
下流管体３７の気体混入部１３よりも下流側には、洗浄水の流れ方向において流路面積が変化する減圧・加圧部５３が形成されている。減圧・加圧部５３は、ベンチュリ管状に形成され、上流側から順に配置された、減圧部５４、小径部５５、及び加圧部５６で構成されている。
【００４６】
減圧部５４は下流側程徐々に流路径が小さくなっている。小径部５５は減圧部５４に連続して流路径が減圧部５４の下流端の流路径と同一となっている。加圧部５６は小径部５５に連続して下流側程徐々に流路径が大きくなっている。
【００４７】
下流管体３７には、洗浄水流路５の減圧部５４に連通する孔からなり前記洗剤タンク３５から洗剤が供給される洗剤供給部１４が形成されている。
【００４８】
洗剤タンク３５と洗剤供給部１４を連通させた状態で、洗浄水流路５を洗浄水が流れているときには、減圧部５４で負圧が発生して洗剤タンク３５内の洗剤が洗剤供給部１４を介して前記空気からなる気泡を含む洗浄水に混合される。なお、本例では、洗剤供給部１４を気体混入部１３よりも下流側に設けたが上流側に設けても良い。また、洗剤供給部１４は減圧部５４ではなく負圧発生部４７に対応する部分に設けても良い。
【００４９】
洗浄水が減圧・加圧部５３を通過すると圧力変動が生じ、前記気体混入部１３にて洗浄水に混入された空気からなる気泡が剪断されて微細化される。すなわち、減圧・加圧部５３は洗浄水に含まれる気泡を微細化する手段を構成している。
【００５０】
ノズル先端部３８は吐出部２２の下端部を構成する。ノズル先端部３８はＬ字状管部６８よりも大径となった円柱状の外形を有している。ノズル先端部３８の下端面部には洗浄水をシャワー状に吐出する多数の孔（図示せず）が形成され、これら多数の孔で吐出口６が構成されている。ノズル先端部３８の下部の内部には下流管体３７よりも直径が大きく前記吐出口６に連通する拡大流路４８が形成されている。
【００５１】
ノズル先端部３８の後部には上方に開口する脚嵌込用凹部６２が形成され、脚嵌込用凹部６２の底部には軸方向下方に向かって延びる挿入穴部５１が形成されている。挿入穴部５１の下端部には拡大流路４８と連通する連通孔５２が形成されている。
【００５２】
挿入穴部５１には下流管体３７が挿入され、下流管体３７の下端開口が対向する連通孔５２を介して拡大流路４８に連通する。これによって、Ｌ字状管部６８で形成された流路５０、連通孔５２、拡大流路４８、及び吐出口６からなる吐出流路２６が形成される。
【００５３】
前記挿入穴部５１はノズル先端部３８の偏心位置となる後部に配置される。このため、ノズル先端部３８はＬ字状管部６８の下流部７１よりも径方向の外側に位置し、その大部分が下流部７１よりも前側に突出する。このノズル先端部３８の下流部７１よりも径方向の外側に突出する部分によりタンク接続部６９が構成されており、つまり、前述の脚嵌込用凹部６２はタンク接続部６９に設けられている。
【００５４】
洗剤タンク３５はＬ字状管部６８の前側に並べて配置される。洗剤タンク３５は、上端開口が洗剤補給口６４となった縦長容器状のタンク本体部６３と、タンク本体部６３の上端部の後部に前後に回動自在に枢支され、タンク本体部６３の洗剤補給口６４に着脱自在に取付けられる蓋部６０とで構成されている。
【００５５】
蓋部６０は、図１０のように洗剤タンク３５をノズル３４に取り付けた状態と、図９のように洗剤タンク３５をノズル３４から取り外した状態の両方で開けることができる。蓋部６０を開けることで、洗剤補給口６４からタンク本体部６３内に洗剤を補充できるようになっている。また、洗剤補給口６４に取り付けられた蓋部６０にて吐出部２２の上端面が構成される。
【００５６】
タンク本体部６３は図６のように吐出部２２の軸方向に長く後側に開口した略Ｃ字に形成され、背面の左右方向の中央部には後方に開口するノズル収納凹部６７が上下に亘って形成されている。
【００５７】
図９のようにタンク本体部６３の下端面部の前部には下方に突出する洗剤供給口部５７が形成されている。タンク本体部６３の下端面部の後部両側には下方に突出する脚部６１が形成されている。
【００５８】
洗剤供給口部５７及び各脚部６１の下方への突出量は略同一となっている。このため、洗剤補給口６４から洗剤を補充する際等には、洗剤タンク３５を、洗剤供給口部５７及び各脚部６１の夫々の下端面を水平な設置面に載置して、洗剤補給口６４を上に、洗剤供給口部５７を下に配置した状態で自立させることができる。なお、本例では、各脚部６１と洗剤補給口６４の両者を設置面に設置することで洗剤タンク３５を自立できるようにしたが、各脚部６１を洗剤補給口６４よりも下方に突出させ、洗剤補給口６４及び脚部６１のうち脚部６１のみを設置面に設置することで上記のように洗剤タンク３５を自立できるようにしても構わない。また、脚部６１の個数も２個に限定されるものではなく、１又は３以上の脚部６１を設けても良いものとする。
【００５９】
図７（ｂ）のように、ノズル先端部３８のタンク接続部６９の上面の前部には凹部からなる洗剤受口部５８が形成されている。
【００６０】
洗剤タンク３５は、洗剤供給口部５７を洗剤受口部５８に上方から嵌め込み、且つ、両脚部６１を一つの脚嵌込用凹部６２に上方から嵌め込むことで、ノズル３４に取り付けられ、両脚部６１の間に下流管体３７が配置される。このように、洗剤供給口部５７に加えて、脚部６１をタンク接続部６９に嵌め込むことにより、洗剤タンク３５をノズル３４に強固に且つ位置決めして取り付けることができる。なお、本例では複数の脚部６１を一つの脚嵌込用凹部６２に嵌め込んだが、タンク接続部６９に各脚部６１に対応する脚嵌込用凹部６２を夫々形成し、各脚嵌込用凹部６２に対応する脚部６１を着脱自在に嵌め込んでも良い。
【００６１】
洗剤タンク３５をノズル３４に取り付けた状態では、平面視で略Ｃ字状の洗剤タンク３５の外面は円形のノズル先端部３８の外周面と面一となる。また、この洗剤タンク３５のノズル収納凹部６７にＬ字状管部６８の下流部７１（上流管体３６の上流端部を除く直線状の部分）が洗剤タンク３５に囲まれた状態で収納され、これによって吐出部２２の外形が全体として略円柱状となっている。
【００６２】
なお、本例では、ノズル３４の下方に向けて曲げられた下流側部分の一部を構成する下流部７１がノズル収納凹部６７に取り囲まれるように洗剤タンク３５を配置したが、ノズル３４の下流側部分の全部がノズル収納凹部６７に取り囲まれるように洗剤タンク３５を配置して、吐出部２２の外形を略円柱状としても良い。
【００６３】
図７（ａ）に示すように、ノズル先端部３８には洗剤受口部５８を洗剤供給部１４に連通させる洗剤供給路５９が形成されている。洗剤供給路５９には手動弁からなる切替弁６５が設けられている。ノズル先端部３８には洗剤供給切替用操作部６６が設けられている。
【００６４】
洗剤供給切替用操作部６６を操作して切替弁６５の開閉を手動で切替えられるようになっている。これにより、洗剤タンク３５を洗剤供給路５９を介して洗剤供給部１４に連通させ洗剤タンク３５から洗剤供給部１４に洗剤を供給して吐出口６から洗剤を含む洗浄水を吐出する状態と、洗剤タンク３５と洗剤供給部１４を切替弁６５にて遮断して洗剤供給部１４に洗剤を供給せず、吐出口６から洗剤を含まない洗浄水を吐出する状態とを切り替えられるようになっている。
【００６５】
洗剤タンク３５の洗剤供給口部５７にはノズル３４から洗剤タンク３５を取り外した状態で、洗剤供給口部５７から洗剤タンク３５内の洗剤が漏れ出すことを防止するための弁７２が設けられている。
【００６６】
弁７２は洗剤タンク３５をノズル３４から取り外した状態では図示しないばねにより下方に付勢されて図８のように洗剤供給口部５７を閉塞する。また、洗剤タンク３５をノズル３４に取り付けた場合には、弁７２は洗剤受口部５８に設けられた突起７３に押圧されて上方に移動し、洗剤供給口部５７を開放する。
【００６７】
洗浄水吐出装置１を用いて気泡及び洗剤を含む洗浄水を吐出する場合は、止水栓７を開いた状態で、吐出切替用操作部２９を操作して開閉弁１０を開くと共に、洗剤供給切替用操作部６６を操作して切替弁６５を開く。
【００６８】
これにより水供給管から洗浄水流路５に供給された洗浄水には、吐出部２２の気体混入部１３にて気体が混合されると共に洗剤供給部１４にて洗剤が混合され、減圧・加圧部５３を経て微細化された気泡及び洗剤を含む洗浄水が吐出口６から下側のシンク３に向けてシャワー状に吐出されることとなる。
【００６９】
このように、吐出された洗浄水には、微細化された多数の気泡と洗剤が含まれているため洗浄効果が高く、食器等の被洗浄物を綺麗に洗浄することができる。
【００７０】
また、洗剤を含まない洗浄水を吐出する場合は、止水栓７を開いた状態で、吐出切替用操作部２９を操作して開閉弁１０を開くと共に、洗剤供給切替用操作部６６を操作して切替弁６５を閉じれば良く、この場合、洗剤の消費量を抑えることができる。
【００７１】
本例の洗浄水吐出装置１にあっては、洗剤タンク３５の給水管部側の側面となる背面にノズル収納凹部６７を形成し、このノズル収納凹部６７にノズル３４の下方に向けて曲げられた下流側部分を収納して吐出部２２の全体の外形を略柱状としている。このため、吐出部２２をコンパクトにできる。また、給水管部の先端部から下方に突出した吐出部２２を一般のカランの蛇口に似た外観とすることができる。
【００７２】
図１１に他例の洗浄水吐出装置１を示す。なお以下の説明では一例の洗浄水吐出装置１と同一の構成については同一の番号を付与し、重複する説明は省略する。
【００７３】
本例の洗浄水吐出装置１は、洗浄水流路５の上流部１７が、縦管部１９に設けられた湯水混合部７５と、湯水混合部７５に並列で接続される湯用配管７６及び水用配管７７で構成されている。水用配管７７には常温の水道水が供給され、湯用配管７６には給湯器を通して加熱された温水が供給され、水用配管７７から供給された水と、湯用配管７６から供給された温水とを湯水混合部７５にて混合し、これを吐出口６から吐出できるようになっている。
【００７４】
洗浄用カラン１８の縦管部１９の下部にはレバーからなる操作部７８が設けられている。操作部７８を操作することにより、湯水混合部７５にて混合される湯と水の混合比及び混合された洗浄水の吐出量を手動で調節できるようになっている。また、本例の洗浄水吐出装置にあっては、逆止弁８及び定流量弁９は湯水混合部７５よりも下流側に設けられている。また、湯水混合部７５が、開閉弁１０及び流量調整弁１１の機能を有しているため、開閉弁１０及び流量調整弁１１は設けられていない。
【図面の簡単な説明】
【００７５】
【図１】本発明の実施の形態の一例の洗浄水吐出装置を示し、洗浄用カランの側断面図である。
【図２】同上の洗浄水吐出装置を設けた流し台の斜視図である。
【図３】同上の洗浄水吐出装置の説明図である。
【図４】同上の洗浄用カランの斜視図である。
【図５】同上の大気開放孔を開放した状態を示す洗浄用カランの側断面図である。
【図６】同上の洗浄用カランの要部の水平断面図である。
【図７】（ａ）は同上の吐出部の側断面図であり、（ｂ）は（ａ）のＡ−Ａ断面図である。
【図８】同上のノズルから洗剤タンクを取り外した状態を示す側断面図である。
【図９】同上の洗剤タンクの斜視図である。
【図１０】同上の洗剤タンクの蓋部を開いた状態を示す側断面図である。
【図１１】他例の洗浄水吐出装置の説明図である。
【符号の説明】
【００７６】
３  シンク
１４  洗剤供給部
２０  横管部
２２  吐出部
３４  ノズル
３５  洗剤タンク
５７  洗剤供給口部
５８  洗剤受口部
６０  蓋部
６１  脚部
６２  脚嵌込用凹部
６４  洗剤補給口
６７  ノズル収納凹部
６９  タンク接続部
【図１】
2010144490.tif 000003
【図２】
2010144490.tif 000004
【図３】
2010144490.tif 000005
【図４】
2010144490.tif 000006
【図５】
2010144490.tif 000007
【図６】
2010144490.tif 000008
【図７】
2010144490.tif 000009
【図８】
2010144490.tif 000010
【図９】
2010144490.tif 000011
【図１０】
2010144490.tif 000012
【図１１】
2010144490.tif 000013